(57)【要約】【課題】  画像処理モードの設定を容易化。操作画面のデフォルトの調整，変更を容易化。【解決手段】  処理モード設定手段３５，４１，３６と、処理モード表示手段２１と、設定表示中の処理モードをデフォルトとするデフォルト記憶手段４１，４４と、基本機能を設定可能な簡単画面（図６）とそれより多機能を設定可能な通常画面（図５）とを表示する制御手段（４１）と、を有する画像処理モード操作装置において、デフォルト記憶手段が、通常画面のデフォルトの記憶の際には、通常画面の、簡単画面のデフォルトと共通の設定項目の設定を、簡単画面のデフォルトにも反映して記憶する（図７の１６）、および／又は、簡単画面のデフォルトの記憶の際には、簡単画面の、通常画面のデフォルトと共通の設定項目の設定を、通常画面のデフォルトにも反映して記憶する（図７の１６）。【選択図】  図７
2007136930.tif 000002
【特許請求の範囲】
【請求項１】
画像処理モードを設定する手段と、設定があった画像処理モードを表示する手段と、設定された画像処理モードをデフォルトの画像処理モードとして記憶するデフォルト記憶手段と、前記表示手段に基本となるいくつかの限られた機能を設定可能にする簡単画面と該簡単画面で設定可能な機能より多くの機能を設定可能な通常画面とを表示する表示制御手段と、を有する画像処理モード操作装置において、
前記デフォルト記憶手段が、前記通常画面のデフォルトの記憶を行う際には、該通常画面の、前記簡単画面のデフォルトと共通の設定項目の設定を、前記簡単画面のデフォルトにも反映して記憶する、ことを特徴とする画像処理モード操作装置。
【請求項２】
画像処理モードを設定する手段と、設定があった画像処理モードを表示する手段と、設定された画像処理モードをデフォルトの画像処理モードとして記憶するデフォルト記憶手段と、前記表示手段に基本となるいくつかの限られた機能を設定可能にする簡単画面と該簡単画面で設定可能な機能より多くの機能を設定可能な通常画面とを表示する表示制御手段と、を有する画像処理モード操作装置において、
前記デフォルト記憶手段が、前記簡単画面のデフォルトの記憶を行う際には、該簡単画面の、前記通常画面のデフォルトと共通の設定項目の設定を、前記通常画面のデフォルトにも反映して記憶する、ことを特徴とする画像処理モード操作装置。
【請求項３】
前記デフォルト記憶手段は、前記通常画面のデフォルトの記憶を行う際には、該通常画面の、前記簡単画面のデフォルトと共通の設定項目の設定を、前記簡単画面のデフォルトにも反映して記憶する、請求項２に記載の画像処理モード操作装置。
【請求項４】
前記デフォルト記憶手段は、反映記憶を選択する手段を含み、反映記憶の選択がある場合のみ、前記共通設定項目の反映記憶を行う、請求項１乃至３のいずれか１つに記載の画像処理モード操作装置。
【請求項５】
前記デフォルト記憶手段は、前記通常画面の、前記簡単画面のデフォルトと共通の設定項目の設定を、前記簡単画面のデフォルトにも反映して記憶するとき、通常画面には含まれて簡単画面には含まれない設定項目の設定がある場合は、警告を発生する、請求項１又は３に記載の画像処理モード操作装置。
【請求項６】
前記表示制御手段は、切替指示手段を含み、該切替指示手段による切替指示に応答して、前記表示手段に前記通常画面を表示しているときには前記デフォルト記憶手段の、簡単画面のデフォルトを表示し、前記表示手段に前記簡単画面を表示しているときには前記デフォルト記憶手段の、通常画面のデフォルトを表示する、請求項１乃至５のいずれか１つに記載の画像処理モード操作装置。
【請求項７】
請求項１乃至６のいずれか１つに記載の画像処理モード操作装置、および、該画像処理モード操作装置に設定された画像処理モードの画像形成を行う作像手段、を含む画像形成装置。
【発明の詳細な説明】
【技術分野】
【０００１】
本発明は、画像処理装置の処理モードを設定する操作装置およびそれを装備する画像形成装置に関する。本発明は、撮影装置，画像読取装置，プリンタ，ファクシミリ装置および複写装置、ならびに、これらに画像処理を指示する端末装置例えばパソコン、に適用することができる。
【背景技術】
【０００２】
【特許文献１】特開平９−２６５２４８号公報
【特許文献２】特開２００５−２０３８６２号公報。
【０００３】
引用文献１は、画像形成モードを設定する入力画面に標準画面と簡易画面とを備え、画面切り替えキー２０の操作に応答して、入力画面を標準画面から簡易画面に、又はその逆に切り替え、各画面の使用回数を積算して、多用された画面をデフォルトに設定する画像形成装置を記載している。引用文献２は、簡単コピーボタンが操作されると、そのとき表示中の入力画面の設定情報に関係なく、予めデフォルト値に基いて簡単モードのコピーを行う画像形成装置を記載している。
【発明の開示】
【発明が解決しようとする課題】
【０００４】
画像処理モードを設定する操作画面として、基本となるいくつかの限られた機能を設定可能にする簡単画面と該簡単画面で設定可能な機能より多くの機能を設定可能な通常画面とを、表示手段に選択的に表示し、該簡単画面および通常画面のデフォルトは、ユーザの使用頻度が高いモードに調整又は変更できるのが好ましく、この操作が簡易であるのが好ましい。
【０００５】
本発明は、画像処理モードの設定を容易にすることを第１の目的とし、そのために用意した操作画面のデフォルトの調整又は変更を容易にすることを第２の目的とする。
【課題を解決するための手段】
【０００６】
（１）画像処理モードを設定する手段(35,41,36)と、設定があった画像処理モードを表示する手段(21)と、設定された画像処理モードをデフォルトの画像処理モードとして記憶するデフォルト記憶手段(41,44)と、前記表示手段に基本となるいくつかの限られた機能を設定可能にする簡単画面(図６)と該簡単画面で設定可能な機能より多くの機能を設定可能な通常画面(図５)とを表示する表示制御手段(41)と、を有する画像処理モード操作装置において、
前記デフォルト記憶手段(41,44)が、前記通常画面のデフォルトの記憶を行う際には、該通常画面の、前記簡単画面のデフォルトと共通の設定項目の設定を、前記簡単画面のデフォルトにも反映して記憶する(図７の16)、ことを特徴とする画像処理モード操作装置(20)。
【０００７】
（２）画像処理モードを設定する手段(35,41,36)と、設定があった画像処理モードを表示する手段(21)と、設定された画像処理モードをデフォルトの画像処理モードとして記憶するデフォルト記憶手段(41,44)と、前記表示手段に基本となるいくつかの限られた機能を設定可能にする簡単画面(図６)と該簡単画面で設定可能な機能より多くの機能を設定可能な通常画面(図５)とを表示する表示制御手段(41)と、を有する画像処理モード操作装置において、
前記デフォルト記憶手段(41,44)が、前記簡単画面のデフォルトの記憶を行う際には、該簡単画面の、前記通常画面のデフォルトと共通の設定項目の設定を、前記通常画面のデフォルトにも反映して記憶する(図７の16)、ことを特徴とする画像処理モード操作装置(20)。
【０００８】
なお、理解を容易にするために括弧内には、図面に示し後述する実施例の対応要素，相当要素又は対応事項の記号を、例示として参考までに付記した。
【発明の効果】
【０００９】
上記（１）によれば、通常画面のデフォルトの設定を行えば簡単画面のデフォルトにも、共通の設定項目の設定が自動的に反映されるので、反映し忘れを防止できる。上記（２）によれば、簡単画面のデフォルトの設定を行えば通常画面のデフォルトにも、共通の設定項目の設定が自動的に反映されるので、反映し忘れを防止できる。
【発明を実施するための最良の形態】
【００１０】
（３）前記デフォルト記憶手段(41,44)は、前記通常画面のデフォルトの記憶を行う際には、該通常画面の、前記簡単画面のデフォルトと共通の設定項目の設定を、前記簡単画面のデフォルトにも反映して記憶する(図７の16)、上記（２）に記載の画像処理モード操作装置。通常画面と簡単画面の一方のデフォルトを設定すると、他方のデフォルトにも自動的に反映されるので、反映し忘れを防止できる。
【００１１】
（４）前記デフォルト記憶手段(41,44)は、反映記憶を選択する手段(図９の37)を含み、反映記憶の選択がある場合のみ、前記共通設定項目の反映記憶を行う、上記（１）乃至（３）のいずれか１つに記載の画像処理モード操作装置。通常画面と簡単画面のデフォルトを別々に設定したい場合は、それぞれの画面で設定可能である。したがって、利用者の意図に応じたデフォルトの設定が選択可能である。
【００１２】
（５）前記デフォルト記憶手段は、前記通常画面の、前記簡単画面のデフォルトと共通の設定項目の設定を、前記簡単画面のデフォルトにも反映して記憶するとき、通常画面には含まれて簡単画面には含まれない設定項目の設定がある場合は、警告を発生する(図７の19,20)、上記（１）又は（３）に記載の画像処理モード操作装置。通常画面のデフォルトを引き継いだ簡単画面のデフォルトに矛盾を生じて、そのまま画像処理を行うことで利用者が意図しない画像処理が行われてしまうことを、防ぐことができる。
【００１３】
（５ａ）前記表示制御手段(41)は、前記警告を前記表示手段(21)に表示する(図１０の38)、上記（５）に記載の画像処理モード操作装置。
【００１４】
（５ｂ）上記（５ａ）の警告の表示は、設定があった、通常画面には含まれて簡単画面には含まれない設定項目の表示を含む。
【００１５】
（６）前記表示制御手段(41)は、切替指示手段(操作画面切り替えキー)を含み、該切替指示手段による切替指示に応答して、前記表示手段に前記通常画面を表示しているときには前記デフォルト記憶手段の、簡単画面のデフォルトを表示し、前記表示手段に前記簡単画面を表示しているときには前記デフォルト記憶手段の、通常画面のデフォルトを表示する(図７の4,5)、上記（１）乃至（５）のいずれか１つに記載の画像処理モード操作装置。
【００１６】
（６ａ）ユーザＩＤを入力する手段(22)，入力があったＩＤを使用許可のものか認証する手段(41)、および、使用許可のものであるときに画像処理モードの操作を許可する手段(41)、を更に備える上記（１）乃至（６）のいずれか１つに記載の画像処理モード操作装置。
【００１７】
（７）上記（１）乃至（６ａ）のいずれか１つに記載の画像処理モード操作装置(20)、および、該画像処理モード操作装置に設定された画像処理モードの画像形成を行う作像手段(PTR)、を含む画像形成装置(200)。
【００１８】
（８）原稿画像を読み取る手段(50)と、読み取った画像を印刷する手段(PTR)と、画像形成の動作モードを設定する手段(35,41,36)と、画像形成の動作に関する情報を表示する手段(21)と、設定された動作モードをデフォルトの動作モードとして記憶するデフォルト記憶手段(41,44)と、前記表示手段に基本となるいくつかの限られた機能を設定可能にする簡単画面(図６)と該簡単画面で設定可能な機能より多くの機能を設定可能な通常画面（図５）とを表示する表示制御手段(41)と、を有する画像形成装置において、
前記デフォルト記憶手段(41,44)が、前記通常画面のデフォルトの記憶を行う際には、該通常画面の、前記簡単画面のデフォルトと共通の設定項目の設定を、前記簡単画面のデフォルトにも反映して記憶する、ことを特徴とする画像形成装置(200)。
【００１９】
（９）原稿画像を読み取る手段(50)と、読み取った画像を印刷する手段(PTR)と、画像形成の動作モードを設定する手段(35,41,36)と、画像形成の動作に関する情報を表示する手段(21)と、設定された動作モードをデフォルトの動作モードとして記憶するデフォルト記憶手段(41,44)と、前記表示手段に基本となるいくつかの限られた機能を設定可能にする簡単画面(図６)と該簡単画面で設定可能な機能より多くの機能を設定可能な通常画面（図５）とを表示する表示制御手段(41)と、を有する画像形成装置において、
前記デフォルト記憶手段が、前記簡単画面のデフォルトの記憶を行う際には、該簡単画面の、前記通常画面のデフォルトと共通の設定項目の設定を、前記通常画面のデフォルトにも反映して記憶する、ことを特徴とする画像形成装置(200)。
【００２０】
（１０）前記デフォルト記憶手段(41,44)は、前記通常画面のデフォルトの記憶を行う際には、該通常画面の、前記簡単画面のデフォルトと共通の設定項目の設定を、前記簡単画面のデフォルトにも反映して記憶する、上記（９）に記載の画像形成装置。
【００２１】
（１１）前記デフォルト記憶手段(41,44)は、反映記憶を選択する手段(図９の37)を含み、反映記憶の選択がある場合のみ、前記共通設定項目の反映記憶を行う、上記（８）乃至（１０）のいずれか１つに記載の画像形成装置。
【００２２】
（１２）前記デフォルト記憶手段(41,44)は、前記通常画面の、前記簡単画面のデフォルトと共通の設定項目の設定を、前記簡単画面のデフォルトにも反映して記憶するとき、通常画面には含まれて簡単画面には含まれない設定項目の設定がある場合は、警告を発生する(図１０の38)、上記（８）又は（１０）に記載の画像形成装置。
【００２３】
（１２ａ）前記表示制御手段(41)は、前記警告を前記表示手段(21)に表示する(図１０の38)、上記（１２）に記載の画像形成装置。
【００２４】
（１２ｂ）上記（１２ａ）の警告の表示は、設定があった、通常画面には含まれて簡単画面には含まれない設定項目の表示を含む(図１０の38)。
【００２５】
（１３）前記表示制御手段(41)は、切替指示手段(操作画面切り替えキー)を含み、該切替指示手段による切替指示に応答して、前記表示手段に前記通常画面を表示しているときには前記デフォルト記憶手段の、簡単画面のデフォルトを表示し、前記表示手段に前記簡単画面を表示しているときには前記デフォルト記憶手段の、通常画面のデフォルトを表示する(図７の4,5)、上記（８）乃至（１２）のいずれか１つに記載の画像形成装置。
【００２６】
（１４）外部から与えられる書画情報を、前記画像形成装置の画像形成に用いる画像データに変換するシステムコントローラ(501)、を更に備える、上記（８）乃至（１３）のいずれか１つに記載の画像形成装置。
【００２７】
（１４ａ）画像処理モード操作装置が、ユーザＩＤを入力する手段(22)，入力があったＩＤを使用許可のものか認証する手段(41)、および、使用許可のものであるときに画像処理モードの操作を許可する手段(41)、を更に備える上記（８）乃至（１４）のいずれか１つに記載の画像形成装置。
【００２８】
（１５）原稿画像を読み取る手段(50)と、読み取った画像を印刷する手段(PTR)と、画像形成の動作モードを設定する手段(35,41,36)と、画像形成の動作に関する情報を表示する手段(21)と、設定された動作モードをデフォルトの動作モードとして記憶するデフォルト記憶手段(44)と、前記表示手段に基本となるいくつかの限られた機能を設定可能にする簡単画面(図６)と該簡単画面で設定可能な機能を含む全ての機能を設定可能な通常画面(図５)とを表示させる表示制御手段(41)とを有する画像形成装置であって、
上記通常画面と簡単画面のそれぞれにおいて上記デフォルト記憶手段(44)を備え、
通常画面においてデフォルトの記憶を行う際には、簡単画面のデフォルトにも連動して共通のモードを記憶させるかどうかを選択でき、簡単画面においてデフォルトの記憶を行う際には、通常画面のデフォルトにも連動して共通のモードを記憶させるかどうかを選択できる(図７の13〜16,18)ことを特徴とする画像形成装置。
【００２９】
通常画面と簡単画面のデフォルトを共通にしたい場合は、片方の画面で設定を行えばもう片方にも自動的に反映されるので、反映し忘れを防止でき、通常画面と簡単画面のデフォルトを別々に設定したい場合は、それぞれの画面で設定可能である。したがって、利用者の意図に応じたデフォルトの設定が選択可能である。
【００３０】
（１６）上記（１５）に記載の画像形成装置において、通常画面においてデフォルトの記憶を行い、簡単画面のデフォルトにも共通のモードを記憶させる際に、通常画面には含まれて簡単画面には含まれない動作モードが設定されていた場合、その動作モードを列挙した警告画面を表示し、簡単画面のデフォルトへの記憶を行わない(図７の19〜21)ことを特徴とする画像形成装置。
【００３１】
通常画面のデフォルトを引き継いだ簡単画面のデフォルトに矛盾があり、そのままコピーを行うことで利用者が意図しないコピーが行われてしまうことを防ぐことができる。
【００３２】
（１７）原稿画像を読み取る手段(50)と、読み取った画像を印刷する手段(PTR)と、画像形成の動作モードを設定する手段(35,41,36)と、画像形成の動作に関する情報を表示する手段(21)と、設定された動作モードをデフォルトの動作モードとして記憶するデフォルト記憶手段(44)と、前記表示手段に基本となるいくつかの限られた機能を設定可能にする簡単画面(図６)と該簡単画面(図５)で設定可能な機能を含む全ての機能を設定可能な通常画面とを表示させる表示制御手段(41)とを有する画像形成装置の制御方法であって、
上記通常画面と簡単画面のそれぞれにおいて上記デフォルト記憶手段(44)を備え、
通常画面においてデフォルトの記憶を行う際には、簡単画面のデフォルトにも連動して共通のモードを記憶させるかどうかを選択でき、簡単画面においてデフォルトの記憶を行う際には、通常画面のデフォルトにも連動して共通のモードを記憶させるかどうかを選択できる(図７の13〜16,18)ことを特徴とする画像形成装置の制御方法。
【００３３】
（１８）上記（１７）に記載の画像形成装置の制御方法において、通常画面においてデフォルトの記憶を行い、簡単画面のデフォルトにも共通のモードを記憶させる際に、通常画面には含まれて簡単画面には含まれない動作モードが設定されていた場合、その動作モードを列挙した警告画面を表示し、簡単画面のデフォルトへの記憶を行わない(図７の19〜21)ことを特徴とする画像形成装置の制御方法。
【００３４】
（１９）原稿画像を読み取る手段(50)と、読み取った画像を印刷する手段(PTR)と、画像形成の動作モードを設定する手段(35,41,36)と、画像形成の動作に関する情報を表示する手段(21)と、設定された動作モードをデフォルトの動作モードとして記憶するデフォルト記憶手段(44)と、前記表示手段に基本となるいくつかの限られた機能を設定可能にする簡単画面(図６)と該簡単画面で設定可能な機能を含む全ての機能を設定可能な通常画面(図５)とを表示させる表示制御手段とを有する画像形成装置を制御するプログラムを記録したコンピュータ読み取り可能な記録媒体であって、
上記通常画面と簡単画面のそれぞれにおいて上記デフォルト記憶手段を備え、
通常画面においてデフォルトの記憶を行う際には、簡単画面のデフォルトにも連動して共通のモードを記憶させるかどうかを選択でき、簡単画面においてデフォルトの記憶を行う際には、通常画面のデフォルトにも連動して共通のモードを記憶させるかどうかを選択できる(図７の13〜16,18)ことを特徴とする画像形成装置(200)を制御するプログラムを記録したコンピュータ読み取り可能な記録媒体。
【００３５】
（２０）上記（１９）に記載の画像形成装置を制御するプログラムを記録したコンピュータ読み取り可能な記録媒体において、
通常画面においてデフォルトの記憶を行い、簡単画面のデフォルトにも共通のモードを記憶させる際に、通常画面には含まれて簡単画面には含まれない動作モードが設定されていた場合、その動作モードを列挙した警告画面を表示し、簡単画面のデフォルトへの記憶を行わない(図７の19〜21)ことを特徴とする画像形成装置を制御するプログラムを記録したコンピュータ読み取り可能な記録媒体。
【００３６】
本発明の他の目的および特徴は、図面を参照した以下の実施例の説明より明らかになろう。
【実施例１】
【００３７】
図１に、本発明の第１実施例の複合機能複写機２００の内部機構の概要を示す。自動原稿送り装置（以下ＡＤＦと表現）１にある原稿台２に、原稿の画像面を上にして置かれた原稿束は、操作ボード２０（図２，図３）上のスタートキー２４（図３）が押下されると、一番下の原稿から給送ローラ３および給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３，給送ベルト４および排送ローラ５はモータによって駆動される。
【００３８】
プリンタＰＴＲの第１トレイ８，第２トレイ９あるいは第３トレイ１０に積載された転写紙は、各々第１給紙装置１１，第２給紙装置１２あるいは第３給紙装置１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニットを通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００３９】
後処理装置のフィニシャ１００は、本体の排紙ローラ１９によって搬送された転写紙を、通常排紙ローラ１０２方向と、ステープル処理部方向に導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。
【００４０】
ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００４１】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００４２】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。
【００４３】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００４４】
感光体１５，搬送ベルト１６，定着ユニット１７，排紙ユニット１８および現像ユニットは、メインモータによって駆動され、各給紙装置１１〜１３はメインモータの駆動を各々給紙クラッチによって伝達駆動される。縦搬送ユニット１４はメインモータの駆動を中間クラッチによって伝達駆動される。
【００４５】
図２に、図１に示す複合機能複写機２００の電装系統のシステム構成を示す。電装システムは、画像形成装置の全体制御を行うシステムコントローラ５０１、コントローラ５０１に接続された、画像形成装置の操作ボード２０、画像データを記憶するＨＤＤ５０３、アナログ回線を使用して外部との通信を行う通信コントロール装置インターフェースボード５０４、ＬＡＮインターフェースボード５０５、汎用ＰＩＣバスに接続された、ＦＡＸのコントロールユニット５０６、ＩＥＥＥ１３９４ボード、無線ＬＡＮボード、ＵＳＢボード等５０７と、ＰＣＩバスでコントローラに接続されたエンジン制御５１０、エンジン制御５１０に接続された、画像形成装置のＩ／Ｏを制御するＩ／Ｏボード５１３、及び、コピー原稿（画像）を読込むスキャナーボード（ＳＢＵ：Sensor Board Unit）５１１、及び画像データが表わす画像光を感光体ドラム上に投射する（光書込みする）ＬＤＢ（レーザダイオードボード）５１２等で構成される。
【００４６】
原稿を光学的に読み取る読み取りユニット５０は、原稿に対する原稿照明光源の走査を行い、ＣＣＤ５４に原稿像を結像する。原稿像すなわち原稿に対する光照射の反射光をＣＣＤ５４で光電変換してＲ，Ｇ，Ｂ画像信号を生成する。
【００４７】
通信コントロール装置インターフェイスボード５０４は、装置に不具合が発生した場合に外部の遠隔地診断装置に即時に通報し、故障個所の内容，状況等をサービスマンが認識し早急に修理することを可能としている。また、それ以外に装置の使用状況等の発信にも使用されている。
【００４８】
図２に示すＣＣＤ５４は、画像信号を生成し、ＳＢＵボード５１１のアナログＡＳＩＣ(Application Specific IC)に入力する。ＳＢＵボード５１１にはアナログＡＳＩＣ及び，ＣＣＤ、アナログＡＳＩＣの駆動タイミングを発生する回路を備えている。ＣＣＤ５４の出力は、アナログＡＳＩＣ内部のサンプルホールド回路により、サンプルホールドされその後、画像データにＡ／Ｄ変換され、シェーディング補正され、そして出力Ｉ／Ｆ（インターフェイス）５２０で画像データバスを介して画像データ処理器ＩＰＰ（Image Processing Processor；以下では単にＩＰＰと記述）に送出する。
【００４９】
ＩＰＰは画像処理をおこなうプログラマブルな演算処理手段であり、分離生成（画像が文字領域か写真領域かの判定：像域分離），地肌除去，スキャナガンマ変換，フィルタ，色補正，変倍，画像加工，プリンタガンマ変換および階調処理を行う。ＳＢＵからＩＰＰに転送された画像データは、ＩＰＰにて光学系およびデジタル信号への量子化に伴う信号劣化（スキャナ系の信号劣化）を補正され、フレームメモリ５２１に書き込まれる。
【００５０】
システムコントローラ５０１には、ＣＰＵ及びシステムコントローラボードの制御を行うＲＯＭ、ＣＰＵが使用する作業用メモリであるＲＡＭ，リチウム電池を内臓し、ＳＲＡＭのバックアップと時計を内臓したＮＶ−ＲＡＭ及び、システムコントローラボードのシステバス制御、フレームメモリ制御、ＦＩＦＯ等のＣＰＵ周辺を制御するＡＳＩＣ及びそのインターフェース回路等が搭載されている。
【００５１】
システムコントローラ５０１は、スキャナアプリケーション，ファクシミリアプリケーション，プリンタアプリケーションおよびコピーアプリケーション等の複数アプリケーションの機能を有し、システム全体の制御を行う。操作ボード２０の入力を解読して本システムの設定とその状態内容を操作ボードの表示部に表示する。
【００５２】
ＰＣＩバスには多くのユニットが接続されており、画像データバス／制御コマンドバスで、画像データと制御コマンドが時分割で転送される。
【００５３】
通信コントロール装置インターフェースボード５０４は、通信コントロール装置と、コントローラ５０１との通信インターフェースボードである。コントローラ５０１との通信は、全二重非同期シリアル通信で接続されている。通信コントロール装置５２２とは、ＲＳ−４８５インターフェース規格により、マルチドロップ接続されている。遠隔の管理システムとの通信は、この通信コントローラ装置インターフェースボード５０４を経由して実施される。
【００５４】
ＬＡＮインターフェースボード５０５は、社内ＬＡＮに接続されている。社内ＬＡＮとコントローラ５０１との通信インターフェースボードであり、ＰＨＹチップを搭載している。ＬＡＮインターフェースボード５０５とコントローラ５０１とは、ＰＨＹチップＩ／Ｆ及びＩ２ＣバスＩ／Ｆの標準的な通信インターフェースで接続されている。外部機器との通信はこのＬＡＮインターフェースボード５０５を経由して実施される。
【００５５】
ＨＤＤ５０３は、システムのアプリケーションプログラムならびにプリンタ、作像プロセス機器の機器付勢情報を格納するアプリケーションデータベース、ならびに、読取り画像や書込み画像のイメージデータ、すなわち画像データ、ならびにドキュメントデータを蓄える画像データベースとして用いられる。物理インターフェース、電気的インターフェース共に、ＡＴＡ／ＡＴＡＰＩ−４に準拠したインターフェースでコントローラに接続されている。
【００５６】
操作ボード２０には、ＣＰＵ及びＲＯＭ，ＲＡＭ、ＬＣＤ及びキー入力を制御するＡＳＩＣ（ＬＣＤＣ）が搭載されている。ＲＯＭには操作ボード２０の入力読込み、及び表示出力を制御する、操作ボード２０の制御プログラムが書き込まれている。ＲＡＭは、ＣＰＵで使用する作業用メモリである。システムコントローラ５０１との通信により、パネルを操作して使用者がシステム設定の入力を行う入力と、使用者にシステムの設定内容，状態を表示する、表示および入力の制御を行っている。
【００５７】
システムコントローラ５０１のワークメモリから出力された書き込み信号は、ＬＤＢ（Laser Diode control Board）のＬＤ（Laser Diode）書き込み回路に入力される。ＬＤ書き込み回路でＬＤ電流制御（変調制御）が行われ、ＬＤに出力される。
【００５８】
エンジン制御５１０は、画像形成の作像作成制御を主として行い、ＣＰＵ及び、画像処理を行うＩＰＰ、複写およびプリントアウトを制御するため必要なプログラムを内蔵したＲＯＭ、その制御に必要なＲＡＭ、及びＮＶＲＡＭを搭載している。ＮＶ−ＲＡＭにはＳＲＡＭと、電源ＯＦＦを検知して、ＥＥＰ−ＲＯＭにストアするメモリを搭載している。また、他の制御を行なうＣＰＵとの信号の送受信を行なう、シリアルインターフェースも備えているＩ／Ｏ  ＡＳＩＣは、エンジン制御ボードが実装された、近くのＩ／Ｏ（カウンター、ファン、ソレノイド、モータ等）を制御するＡＳＩＣである。Ｉ／Ｏ制御ボード５１３とエンジン制御ボード５１０とは同期シリアルインターフェース接続されている。
【００５９】
Ｉ／Ｏ制御ボード５１３には、サブＣＰＵ５１７を搭載しており、Ｐセンサ、Ｔセンサ等のアナログ制御，用紙センサの検出信号を参照するジャム検出，用紙搬送制御も含む画像形成装置のＩ／Ｏ制御を行っている。インターフェース回路５１５は、各種センサ，アクチュエータ（モータ、クラッチ、ソレノイド）とのインターフェース回路である。
【００６０】
電源装置ＰＳＵ５１４は、画像形成装置を制御する電源を供給するユニットである。メインＳＷのオン（閉）により、商用電源が供給される。その商用電源からＡＣ制御回路５４０に商用ＡＣが供給され、ＡＣ制御回路５４０により整流、平滑化のように制御されたＡＣ制御出力を用いて、ＤＣ電源装置ＰＳＵ  ５１４は、各制御基板に必要なＤＣ電圧を供給する。ＤＣ電源装置ＰＳＵにより生成される定電圧を用いて各制御部のＣＰＵが動作している。ＡＣ制御回路５４０には、定着ヒータ２１４に通電し定着温度を一定に維持する通電制御を行う交流通電回路（ヒータドライバ）がある。メインＳＷのオフからオンへの切り換わりにより、ＡＣ制御回路５４０によって、ヒータドライバには商用交流が供給され、ＤＣ電源装置５１４には直流電圧が印加される。これが待機モードである。この状態でコピー又は印刷の指示があると、システムコントローラ５０１が、エンジン制御５１０にコピー又は印刷を指示し、エンジン制御５１０がこれを開始する。エンジン制御５１０がコピー又は印刷を実行している状態は動作モードであり、消費電力が大きい。
【００６１】
システムコントローラ５０１は、待機モードの間、後述の色ずれ補正の開始条件が成立したかを監視し、開始条件が成立すると色ずれ補正を行うが、色ずれ補正の必要がなく待機モードが操作ボード２０に入力された設定時間が経過すると、ＡＣ制御回路５４０およびＤＣ電源装置５１４を省エネモードに切り替える。すなわち、ＡＣ制御回路５４０ではヒータドライバへの交流供給を遮断し、ＤＣ電源装置５１４では、複写機２００に対するユーザの直接のアクセス（操作ボード２０入力又はコピー又は印刷のための操作）もしくは外部（パソコン又はファクシミリ）からの画像要求又は印刷要求を認知し動作モードに復帰する電源操作を行う復帰用電気回路に認知動作用の電圧を供給する待機電源回路を除くＤＣ出力用の電源回路を、ＤＣ受電ラインから遮断する。これによりシステムコントローラ５０１の動作電圧が消滅する。復帰用電気回路は、省エネモードにおいてユーザ又は外部からのアクセスを認知すると、ＡＣ制御回路５４０およびＤＣ電源装置５１４を、上記待機モードに設定する。これによりシステムコントローラ５０１に動作電圧が加わる。
【００６２】
図３は、操作ボード２０を示した図である。操作ボード２０には、液晶タッチパネル２１、テンキー２２、クリア／ストップキー２３、プリントスタートキー２４、予熱キー２５、リセットキー２６、初期設定キー２７があり、液晶タッチパネル２１には、各種機能キー及び画像形成装置の状態を示すメッセージなどが表示される。オペレータが液晶タッチパネル２１に表示されたキーにタッチする事で、選択された機能を示すキーが黒く反転する。また、機能の詳細を指定しなければならない場合（例えばページ印字の種類等）はキーにタッチする事で詳細機能の設定画面が表示される。このように、液晶タッチパネル２１は、ドット表示器を使用している為、その時の最適な表示をグラフィカルに行なう事が可能である。
【００６３】
初期設定キー２７を押す事で、機械の初期状態を任意にカスタマイズする事が可能である。機械が収納している用紙サイズを設定したり、コピー機能のリセットキーを押したときに設定される状態を任意に設定したりすることが可能である。また、一定時間操作が無いときに優先して選択されるアプリケーション等も選択する事、国際エネルギースター計画に従った低電力への移行時間の設定や、オートオフ／スリープモードへの移行する時間を設定する事が可能である。予熱キー２５を押すと、機械は待機状態から、電力低減状態に移行し、定着温度を低下させたり、操作部の表示を消灯したりする。予熱状態は、国際エネルギースター計画で言う、低電力状態を意味している。また、予熱状態、オフ状態／スリープ状態を解除し、待機状態に移行させるには、この予熱キーを再度押下する。
【００６４】
コピーキー２８の押下により、コピー機能の使用が可能である。そのほか、コピーサーバキー２９は、既存の蓄積画像データの編集（コピーモード設定，印刷，削除）を行なうときに使用する。スキャナアプリキー３０は原稿を機器内部の記憶装置に蓄積するとき、スキャナより読み取った入力画像や蓄積されている画像データなどを外部に送信するとき等に使用する。
【００６５】
図４には、操作ボード２０の電気回路ブロックを示す。操作ボード２０の電気制御系の主体は、システムコントローラ５０１およびエンジン制御５１０の各ＣＰＵとコミュニケーションし、操作ボード２０の入力を読取り、操作ボード２０上の表示を制御するＣＰＵ４１，このＣＰＵ４１の制御プログラムが格納されているＲＯＭ４２，制御時にデータの一時格納等を行うためのＲＡＭ４３，液晶タッチパネル２１の描画データを格納するＶＲＡＭ４７，このＶＲＡＭ４７に接続され液晶タッチパネル２１の描画タイミング制御およびタッチ入力検知等を行う液晶表示コントローラ（ＬＣＤＣ）４６，時刻データを発生する時計ＩＣ４５等がある。ＬＣＤＣ４６には、ＣＦＬの光源をバックライト４９として有する液晶タッチパネル２１が接続される。ＣＰＵ４１には更に、ＣＦＬバックライト４９を駆動するインバータ４８，操作キー群２２〜３５のキーマトリクス，表示ＬＥＤのＬＥＤマトリクスおよびそれらのＬＥＤを駆動するＬＥＤドライバ等が接続されている。また、ＣＰＵ４１が接続されたデータバスには、画像処理モードおよび初期設定値記憶用の不揮発ＲＡＭ（ＮＶＲＡＭ）４４が接続されている。
【００６６】
操作ボード２０のＣＰＵ４１は、操作ボード２０に対するユーザの操作に対応して、置数キーの押下の読込みと入力数字データの生成，スタートキーの押下の読込みと、スタート指示のコントローラ５０１への転送，用紙サイズの切換え入力の読取りなど、通常の複写機の操作読取りおよび表示出力の制御を行う。
【００６７】
図５は、操作ボード２０の液晶タッチパネル２１の表示一例（通常画面）を示した図である。図５において左上は、「コピーできます」，「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。また、給紙トレイ数に対応した給紙トレイ状態を示し、手動で給紙段を設定するためのキーが給紙段分表示されている。液晶パネル２１の表示面の右下コーナには、操作画面切り替えキーが表示されており、ユーザがこれにタッチすると、現在表示されている通常画面が、簡単画面（図６）に切り換わる。簡単画面（図６）を表示しているときにその画面上の操作画面切り替えキーにユーザがタッチすると、表示中の簡単画面（図６）が通常画面（図５）に切り換わる。
【００６８】
操作ボード２０の不揮発ＲＡＭであるＮＶＲＡＭ４４（図４）には、通常画面および簡単画面のデフォルト（初期設定）、ならびに、省エネモードに進む直前に表示中の操作画面（退避画面）を記憶保持するための記憶領域が確保されており、通常画面および簡単画面のデフォルト、ならびに、省エネモードに進む直前に表示中の操作画面（退避画面：通常画面又は簡単画面）が、ＮＶＲＡＭ４４に記憶され、操作ボード２０への動作電圧が消えている間も、記憶保持が継続する。
【００６９】
図３に示す操作ボード２０のプログラムキー４７を押下すると、現在設定されている動作モードをプログラムとして記憶しておくモード記憶機能を利用することができる。モード記憶機能のうち、動作モードをデフォルトの動作モードとして記憶するデフォルト記憶機能を選択すると、図８に示す登録指示画面３６が液晶パネル２１にポップアップ表示される。この画面３６上で「登録」キーを押下すると現在設定されている動作モード（図示例は通常画面の画像処理モード）をデフォルトの動作モードとして記憶することができ、「工場出荷時に戻す」キーを押下するとデフォルトの動作モードは工場出荷時の値に戻される。
【００７０】
図５はコピーの全機能が設定可能な「通常画面」を、図６は基本的ないくつかの限られた機能のみを設定可能にする「簡単画面」を、それぞれ示している。どちらの画面が表示されている場合でも、図３において、プログラムキー４７を押下しデフォルト記憶機能を選択することで、図８に示す登録指示画面３６が表示され、デフォルト記憶機能を利用できる。
【００７１】
図７に、操作ボード２０内のＣＰＵ４１（図４）が、ＲＯＭ４２に書き込まれた操作ボード入出力プログラムに基づいて実行する、操作ボード入出力処理の概要を示す。操作ボード２０に動作電圧が印加されるとＣＰＵ４１は、操作ボード２０内電気システムの初期化を行う（ステップ１）。なお、以下においては、括弧内には、ステップという語を省略してステップ符号のみを示す。
【００７２】
次にＣＰＵ４１は、ＮＶＲＡＭ４４に退避記憶していた、前回の動作電圧遮断（電源オフ）直前の、液晶パネル２１に表示していたユーザ操作画面すなわち通常画面又は簡単画面であって、そのときのユーザ入力状態すなわち動作モード設定（画像処理モードの設定）を表すもの、をＮＶＲＡＭ４４から読み出して液晶パネル２１に表示する（２）。そして、操作ボード２０に対するユーザの操作入力、および、システムコントローラ５０１が転送する外部（例えばパソコンＰＣ）からの操作入力を待ち、操作入力を読み取る（３）。
【００７３】
ここで、「操作画面切り替え」キーのオンがあると、すなわち液晶パネル２１に表示している操作画面切り替えキーにユーザのタッチがあると、ＣＰＵ４１は、現在表示中の操作画面が通常画面（例えば図５）であるときには、ＮＶＲＡＭ４４から簡単画面のデフォルトを読み出して液晶パネル２１に切り替え表示する（４，５）。現在表示中の操作画面が簡単画面（例えば図６）であるときには、ＮＶＲＡＭ４４から通常画面のデフォルトを読み出して液晶パネル２１に切り替え表示する（４，５）。
【００７４】
「プログラム」キーのオンがあると、すなわち操作ボード２０上のプログラムキー３５が操作されると、ＣＰＵ４１は、液晶パネル２１に現在表示中の操作画面をＮＶＲＡＭ４４に退避記憶し（この画面情報を退避画面という）、そして、登録指示画面３６を、図８に示すように、ポップアップ表示する（６，７）。この登録指示画面３６上の登録キーにユーザのタッチがあるとＣＰＵ４１は、退避画面の入力状態に、ＮＶＲＡＭ４４にある退避画面種（通常画面又は簡単画面）のデフオルトを更新する（８，９）。工場出荷時に戻すキーにタッチがあったときには、ＲＯＭ４２にある工場出荷時の、該画面種のデフオルトに、ＮＶＲＡＭ４４にある退避画面対応の画面種のデフォルトを更新する（１０，１１）。
【００７５】
次には、液晶タッチパネル２１のポップアップ表示を、図９に示す反映指示画面３７に、更新する（１２）。ここで反映指示画面３７上の「反映する」キーにタッチがあるとＣＰＵ４１は、上記のデフォルトを更新した画面種が簡単画面であった場合には、更新したデフォルトの中の、通常画面と共通の項目の設定を、通常画面のデフォルトに反映記憶する（１５，１６）。すなわちＮＶＲＡＭ４４の通常画面のデフォルトを更新する。上記のデフォルトを更新した画面種が標準画面であった場合には、更新したデフォルトの中に、簡単画面にはない設定項目に対する設定（入力操作）がない場合には同様に、更新したデフォルトの中の、簡単画面と共通の項目の設定を、簡単画面のデフォルトに反映記憶する（１９，１６）。すなわちＮＶＲＡＭ４４の簡単画面のデフォルトを更新する。しかし、更新したデフォルトの中に、簡単画面にはない設定項目に対する設定（入力操作）があった場合には、液晶タッチパネル２１のポップアップ表示を、図１０に示すようなエラー報知画面３８に、更新する（２０）。このエラー報知画面３８は、簡単画面には反映できない設定の項目を表示するものである。この画面上の「確認」キーにユーザがタッチすると、ＣＰＵ４１は、液晶パネル２１の表示を退避画面に戻す（１７）。
【００７６】
ステップ１３で表示した反映表示画面上の「反映しない」キーにユーザがタッチした場合には、ＣＰＵ４１は、上述の反映記憶の処理（１５〜２１）は行わないで、液晶パネル２１の表示を退避画面に戻す（１７）。
【００７７】
「入力読み取り」（３）で、画像処理モードの設定入力があるとＣＰＵ４１は入力に対応した表示に液晶パネル２１の表示を更新する。スタートキー２４の操作があると、ＣＰＵ４１はこれをシステムコントローラ５０１に報知し、これに応答してシステムコントローラ５０１が、操作ボード２０に設定されている画像処理モードに対応する画像処理を、スキャナ５０，プリンタＰＴＲもしくはＦＣＵ５０６に指示する。操作ボード２０に設定されている画像処理モードが、システムコントローラ５０１自身の画像処理又は画像データ転送を指示するものである場合には、システムコントローラ５０１自身がそれを実行する。
【００７８】
システムコントローラ５０１は、操作ボード２０に対するユーザ操作がなく、しかも外部（例えばパソコンＰＣ）からのコマンドがなく、設定時間が経過すると、ＡＣ制御回路５４０および電源装置５１４の、画像処理用待機電源回路を遮断する。すなわち省エネモードに移行する。この移行の直前にコントローラ５０１は操作ボード２０（のＣＰＵ４１）に操作画面の退避を指示し、これに応答してＣＰＵ４１は、そのときの操作ボード２０の画像処理モード設定状態をＮＶＲＡＭ４４に退避記憶する。そしてその後一旦電源オフになってから、再度電源オンになると、すなわち省エネモードから待機モードに復帰して操作ボード２０に動作電圧が加わると、図７のステップ２で、ＣＰＵ４１はＮＶＲＡＭ４４に退避記憶していた画像処理モード設定状態を読み出して操作ボード２０に設定する。
【００７９】
図２に示すＬＡＮインターフェイスボード５０５を介してシステムコントローラ５０１に接続されたパソコンＰＣおよび外部通信ボード５０７を介して接続された図示しないパソコンには、上述のＣＰＵ４１の上述の操作ボード入出力処理（図７）と同様な、システムコントローラ５０１を介して複写機２００を使用するアプリケーションプログラムがインストールされており、このアプリケーションは、図３に示す液晶パネル２１に代えて、パソコンに接続したディスプレイに操作画面を表示し、しかも、図３に示す操作ボード２０の、ディスプレイ２１以外のハードウエアキーも、ディスプレイ上に操作画面とともに表示するものである。キー操作すなわち入力操作は、パソコンに接続したキーボードおよびマウスで行われる。該アプリケーションプログラムは、図７に示すフローチャートの電源オンおよびステップ１を、アプリケーションの起動（アイコンのクリックと「開く」の指示）と読み替えた処理フローとなり、閉じる又は終了の指示があると、そのときディスプレイに表示中の画像処理モード設定状態をパソコン内の、該アプリケーションプログラムによって指定した不揮発性メモリ（フォルダ又はファイル）に退避記憶する。該フォルダ又はファイルが、操作ボード２０のＮＶＲＡＭ４４に相当するものである。工場出荷状態のデフォルトは、システムコントローラ５０１が操作ボード２０（ＲＯＭの４２）から読み出してパソコンに転送する。
【００８０】
したがって、複写機２００を使用するアプリケーションプログラムを起動すると、パソコンＰＣが操作ボード２０とは別個の、複写機２００を使用するための操作端末として機能し、操作ボード２０に不揮発保持するものとは別個の、通常画面のデフォルト，簡単画面のデフォルトおよび退避画面を不揮発保持する。
【実施例２】
【００８１】
第２実施例のハードウエアは、上述の第１実施例と同様であるが、操作ボード２０のＣＰＵ４１が実行する操作ボード入出力処理すなわち操作ボード入出力処理プログラムが、第１実施例のもの（図７）と少し異なる。第２実施例では、複写機２００にユーザ登録を行い、登録したユーザＩＤ（認証符号）をユーザが入力すると、該ユーザ宛てにＮＶＲＡＭ４４に記憶している退避画面を液晶パネル２１に表示して、これによって複写機２００の使用が可能になる。
【００８２】
図１１に、第２実施例のＣＰＵ４１が実行する操作ボード入出力処理を示す。操作ボード２０に動作電圧が印加されるとＣＰＵ４１は、操作ボード２０内電気システムの初期化を行う（１）。次にＣＰＵ４１は、ユーザＩＤの入力を促すユーザ認証画面を液晶パネル２１に表示し、ＩＤ入力があると、それがＮＶＲＡＭ４４のユーザ登録領域に書き込まれているもの（登録ＩＤ）であるか検索する（３１）。登録ＩＤであると、すなわちＩＤ認証が成立すると、該登録ＩＤに宛ててＮＶＲＡＭ４４に記憶されている退避画面を液晶パネル２１に表示する（３２，３３）。そして、操作ボード２０に対するユーザの操作入力を待ち、操作入力を読み取る（３）。
【００８３】
ここで、「リセット」キーのオン（操作）があると、ＣＰＵ４１は、そのときの操作ボード２０の画像処理モード設定状態を、ＮＶＲＡＭ４４の、上記ＩＤ認証が成立した登録ＩＤ宛ての退避画面記憶領域に書き込んでから、「ユーザ認証画面を表示」（３１）に戻る。すなわち、ユーザＩＤの入力を待つ。なお、「リセット」キーは通常、ＩＤ認証が成立したユーザが複写機２００を使用した後に、他者の複写機使用を防止するために操作される。
【００８４】
「リセット」キーの操作がない間は、第１実施例（図７）のステップ６〜２１の操作ボード入出力処理を同様に行う（ＯＰＲ）。ただし、退避画面，通常画面のデフォルトおよび簡単画面のデフォルトは、登録ＩＤ宛てにＮＶＲＡＭ４４に記憶するので、操作ボード入出力処理ＯＰＲ（図７の６〜２１相当）での通常画面のデフォルトおよび簡単画面のデフォルトは、ステップ３１のＩＤ認証が成立した登録ＩＤ宛てのものになる。
【００８５】
第２実施例においても、ＬＡＮインターフェイスボードを介してシステムコントローラに接続されたパソコンおよび外部通信ボードを介して接続されたパソコンには、上述のＣＰＵ４１の上述の操作ボード入出力処理（図１１）と同様な、システムコントローラを介して複写機を使用するアプリケーションプログラムがインストールされており、該パソコンで画像処理モードを設定して複写機を使用できる。
【図面の簡単な説明】
【００８６】
【図１】本発明の第１実施例の複合機能複写機の機構の概要を示す縦断面図である。
【図２】図１に示す複写機の電気系統の構成を示すブロック図である。
【図３】図２に示す操作ボード２０の拡大平面図である。
【図４】図３に示す操作ボード２０の内部の電気系統の構成を示すブロック図である。
【図５】図３に示す液晶タッチパネル２１の表示画面の一例である通常画面の拡大平面図である。
【図６】図３に示す液晶タッチパネル２１の表示画面の一例である簡単画面の拡大平面図である。
【図７】図４に示すＣＰＵ４１が実行する操作ボード入出力処理の概要を示すフローチャートである。
【図８】図３に示す液晶タッチパネル２１のポップアップ表示画面の１つである登録指示画面３６を示す平面図である。
【図９】図３に示す液晶タッチパネル２１のポップアップ表示画面の１つである反映指示画面３７を示す平面図である。
【図１０】図３に示す液晶タッチパネル２１のポップアップ表示画面の１つであるエラー報知画面３８を示す平面図である。
【図１１】本発明の第２実施例のＣＰＵ４１が実行する操作ボード入出力処理の概要を示すフローチャートである。
【図１】
2007136930.tif 000003
【図２】
2007136930.tif 000004
【図３】
2007136930.tif 000005
【図４】
2007136930.tif 000006
【図５】
2007136930.tif 000007
【図６】
2007136930.tif 000008
【図７】
2007136930.tif 000009
【図８】
2007136930.tif 000010
【図９】
2007136930.tif 000011
【図１０】
2007136930.tif 000012
【図１１】
2007136930.tif 000013